【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
光源から放出される光束を結像面に結像させる拡大光学系において，
前記光源から所定距離離隔配置され，前記光源から放出される光束を反射する少なくとも一枚以上の反射ミラーを有する第１群と，
前記第１群から反射される光束を反射する少なくとも一枚以上の反射ミラーを有する第２群と，
前記結像面から所定距離離隔して配置され前記第２群から反射される光束を前記結像面に反射する少なくとも一枚以上の反射ミラーを有する第３群と，を備えることを特徴とする拡大光学系。
【請求項２】
前記第１，第２及び第３群は，それぞれ光束を集光する正（＋）の屈折力，光束を発散する負（−）の屈折力，光束を集光する正（＋）の屈折力を有することを特徴とする請求項１に記載の拡大光学系。
【請求項３】
前記光源は，１次元ないし２次元形態に構成された発光素子を備えることを特徴とする請求項１または２に記載の拡大光学系。
【請求項４】
前記発光素子は，ＬＥＤ，ＬＤ及びＶＣＳＥＬのうち１つを備えることを特徴とする請求項３に記載の拡大光学系。
【請求項５】
前記光源と前記第１群との離隔距離Ｄ１と前記第３群と前記結像面との離隔距離Ｄ２は次の数式１を満たすことを特徴とする請求項１から４のいずれか１項に記載の拡大光学系。
【数１】
2003207716.tif 000001
・・・（数式１）
【請求項６】
前記第１，第２，及び第３反射ミラー群の前記反射ミラーのうち少なくとも一つの面の形状は次の数式２を満たす非球面で構成されることを特徴とする請求項１から５のいずれか１項に記載の拡大光学系。
【数２】
2003207716.tif 000002
ここで，ｍ，ｎ：３以上の整数
Ｋ：円錐係数
Ａ，Ｂ：非球面係数
Ｃ  曲率係数
Ｘ，Ｙ：非球面上の点に対する位置ないし距離
Ｚ：光軸からの距離
・・・（数式２）
【請求項７】
前記第１，第２，及び第３群の前記反射ミラーのうち少なくとも一つの面の形状は球面で構成されることを特徴とする請求項１から６のいずれか１項に記載の拡大光学系。
【請求項８】
独立的に制御可能な発光素子を画像信号に応じて発光させる光源と，前記光源から放出される光束を所定倍率に拡大する拡大光学系と，前記拡大光学系によって露光され静電潜像を形成する感光体とを備える画像形成装置において，
前記拡大光学系は前記光源から所定距離離隔して配置され，前記光源から放出される光束を反射する少なくとも一枚以上の反射ミラーを有する第１群と，
前記第１群から反射される光束を反射する少なくとも一枚以上の反射ミラーを有する第２群と，
前記感光体の結像面から所定距離離隔して配置され前記第２群から反射される光束を前記結像面に反射する少なくとも一枚以上の反射ミラーを有する第３群と，を備えることを特徴とする画像形成装置。
【請求項９】
光源から放出される光を結像面に結像させる拡大光学系を含む画像装置において，
前記光源から所定距離離隔配置され，前記光源から放出される光を反射する少なくとも一枚以上の反射ミラーと，
前記反射ミラーから反射される光が結像面に結像される感光体を含むことを特徴とする画像形成装置。
【請求項１０】
前記反射ミラーは、多数の反射面を有することを特徴とする請求項９に記載の画像形成装置。
【手続補正２】
【補正対象書類名】明細書
【補正対象項目名】０００１
【補正方法】変更
【補正の内容】
【０００１】
【発明の属する技術分野】
本発明はプリンタ，ファクシミリ，複写機などに適用される拡大光学系及びそれを有する画像形成装置に係り，さらに詳しくは光源から放出されるレーザビームと等しい光束を多数の反射ミラーの組み合わせを用いて画像結像面または感光体に結像する拡大光学系及びそれを有する画像形成装置に関する。


【手続補正３】
【補正対象書類名】明細書
【補正対象項目名】０００５
【補正方法】変更
【補正の内容】
【０００５】
このような回転多面鏡を使用するＬＳＵにおいて，光を偏向させるための回転多面鏡は，印刷時に回転多面鏡を高速で回転させるモータの振動によって騒音が発生する問題があった。特に，印刷速度を早めるために回転多面鏡の回転速度を増加させる場合，騒音が増加されると同時に回転負荷の増加によって回転精度が劣化する。


【手続補正４】
【補正対象書類名】明細書
【補正対象項目名】００２２
【補正方法】変更
【補正の内容】
【００２２】
光源と第１群との離隔距離Ｄ１と，第３群と結像面との離隔距離Ｄ２は次の数式３を満たすことが望ましい。
【数３】
2003207716.tif 000003
・・・（数式３）
【手続補正５】
【補正対象書類名】明細書
【補正対象項目名】００２３
【補正方法】変更
【補正の内容】
【００２３】
また，第１，第２，及び第３群の反射ミラーの面の形状は球面で構成されることが望ましい。選択的に，第１，第２，及び第３反射ミラー群の反射ミラー面の形状は次の数式４を満たす非球面で構成されうる。
【数４】
2003207716.tif 000004
ここで，ｍ，ｎ：３以上の整数
Ｋ：円錐係数
Ａ，Ｂ：非球面係数
Ｃ  曲率係数
Ｘ，Ｙ：非球面上の点に対する位置ないし距離
Ｚ：光軸からの距離
・・・（数式４）
【手続補正６】
【補正対象書類名】明細書
【補正対象項目名】００２４
【補正方法】変更
【補正の内容】
【００２４】
本発明の他の態様によれば，独立的に制御可能な発光素子を画像信号に応じて発光させる光源と，前記光源から放出される光束を所定倍率に拡大する拡大光学系と，前記拡大光学系によって露光され静電潜像を形成する感光体とを備える画像形成装置において，前記拡大光学系は前記光源から所定距離離隔して配置され，前記光源から放出される光束を反射する少なくとも一枚以上の反射ミラーを有する第１群と，前記第１群から反射される光束を反射する少なくとも一枚以上の反射ミラーを有する第２群と，前記感光体の結像面から所定距離離隔して配置され前記第２群から反射される光束を前記結像面に反射する少なくとも一枚以上の反射ミラーを有する第３群と，を備えることを特徴とする画像形成装置が提供される。
また，本発明の他の態様によれば，光源から放出される光を結像面に結像させる拡大光学系を含む画像装置において，前記光源から所定距離離隔配置され，前記光源から放出される光を反射する少なくとも一枚以上の反射ミラーと，前記反射ミラーから反射される光が結像面に結像される感光体を含むことを特徴とする画像形成装置が提供される。前記反射ミラーは、多数の反射面を有することが好ましい。
【手続補正７】
【補正対象書類名】明細書
【補正対象項目名】００３３
【補正方法】変更
【補正の内容】
【００３３】
特に，レーザアレイ１０１と第１反射ミラー１０４ａとの離隔距離Ｄ１と第３反射ミラー１０４ｃと感光ドラム１０３の結像面との離隔距離Ｄ２は次の数式５を満たすことが望ましい。
【数５】
2003207716.tif 000005
・・・（数式５）
【手続補正８】
【補正対象書類名】明細書
【補正対象項目名】００３５
【補正方法】変更
【補正の内容】
【００３５】
非球面で構成する場合，反射ミラー面の形状は次の数式６を満たすよう構成することが望ましい。


【手続補正９】
【補正対象書類名】明細書
【補正対象項目名】００３６
【補正方法】変更
【補正の内容】
【００３６】
【数６】
2003207716.tif 000006
ここで，ｍ，ｎ：３以上の整数
Ｋ：円錐係数
Ａ，Ｂ：非球面係数
Ｃ  曲率係数
Ｘ，Ｙ：非球面上の点に対する位置ないし距離
Ｚ：光軸からの距離
・・・（数式６）